(57)【要約】【課題】不正な操作で制止部材を正規の位置に合わせることが困難な施錠機構を提供する。【解決手段】回転部材と、回転部材を回動可能に収納するハウジングと、少なくとも回転部材に収納される複数の制止部材とを備え、複数の制止部材をシアラインに対して直交する方向に進退させて錠止・開錠する施錠機構において、ハウジングと回転部材にまたがり制止部材の進退方向に直交する収容空間を備え、収容空間には制止部材の一部を構成するロックプレートが収容され、ロックプレートは少なくとも２つの他の制止部材に当接してシアラインに交差しながら揺動可能であり、開錠するとき、ロックプレートの制止部材の進退方向に直交する面がシアラインに合致する構成の施錠機構とした。【選択図】図３
2008144522.tif 000002
【特許請求の範囲】
【請求項１】
回転部材と、前記回転部材を回動可能に収納するハウジングと、少なくとも前記回転部材に収納される複数の制止部材とを備え、
前記複数の制止部材を、前記回転部材と前記ハウジングとの境界に位置するシアラインに対してほぼ直交する方向に進退させて前記シアラインに交差させることにより錠止・開錠する施錠機構において、
前記ハウジングおよび前記回転部材にまたがり前記制止部材の進退方向にほぼ直交する収容空間を備え、
前記収容空間には前記制止部材の一部を構成するロックプレートが収容され、
前記ロックプレートは、少なくとも２つの他の前記制止部材に当接して前記シアラインに交差しながら揺動可能であり、
開錠するとき、前記ロックプレートの、前記制止部材の進退方向にほぼ直交する面が前記シアラインに合致することを特徴とする施錠機構。
【請求項２】
前記ハウジングに、前記ロックプレートを、前記ロックプレートに当接する他の前記制止部材に向けて付勢するバネ付勢手段を備える請求項１に記載の施錠機構。
【請求項３】
前記バネ付勢手段がコイルバネであり、前記コイルバネが前記ロックプレートに対向する部分に、前記ロックプレートに当接する当接部材が設けられている請求項２に記載の施錠機構。
【請求項４】
前記制止部材は、複数のアンダーピンおよび複数のドライバーピンを含んで成り、
前記回転部材は、その回転軸に沿って延びる鍵穴と、
前記鍵穴から前記回転軸に直交する方向に延び出し前記回転部材を貫通して前記アンダーピンを摺動可能に収納する複数のアンダーピン孔とを備え、
前記ハウジングは、前記回転軸に直交する方向に前記アンダーピン孔に連通可能に延びて前記ドライバーピンを摺動可能に収納する複数のドライバーピン孔を備え、
開錠されたとき、前記アンダーピンと前記ドライバーピンとの境界が前記シアラインに合致するとともに、少なくとも２本の前記アンダーピンが前記ロックプレートに当接する請求項１から請求項３のいずれか１項に記載の施錠機構。
【請求項５】
前記制止部材は、前記鍵が挿通される挿通孔を有する複数のディスクを含んで成り、
前記回転部材は、その回転軸に沿って延びる鍵穴と、
前記鍵穴から前記回転軸に直交する方向に延び出し前記回転部材を貫通して前記ディスクを摺動可能に収納する複数のディスク孔とを備え、
前記収容空間に前記ディスクが進退可能であり、
開錠されたとき、前記ディスクの前記回転軸に直交する方向に対して交差する辺が前記シアラインに合致するとともに、少なくとも２枚の前記ディスクが前記ロックプレートに当接する請求項１から請求項３のいずれか１項に記載の施錠機構。
【請求項６】
前記制止部材は、複数のコードピンおよび複数のアンダーピンを含んで成り、
前記回転部材は、前記回転軸に平行な方向に延び出し前記回転部材を貫通して前記コードピンを摺動可能に収納する複数のコードピン孔を備え、
前記ハウジングは、前記回転部材の回転軸に平行な方向に延びる鍵穴と、
前記コードピン孔に対向して前記回転軸に平行な方向に延び前記アンダーピンを摺動可能に収納する複数のアンダーピン孔を備え、
前記コードピンの一部が前記鍵穴に露出しており、
開錠されたとき、前記コードピンと前記アンダーピンとの境界が前記シアラインに合致するとともに、少なくとも２本の前記コードピンが前記ロックプレートに当接する請求項１から請求項３のいずれか１項に記載の施錠機構。
【発明の詳細な説明】
【技術分野】
【０００１】
この発明は、施錠機構および錠に関し、特に不正開錠(ピッキング)を抑制する施錠機構に関する。
【背景技術】
【０００２】
不正開錠を抑制するための施錠機構を備えた錠として、例えば特許文献１には、プラグに左右一対のサイドバー収容孔を設け、左右二列のロックピン収容孔をキー挿入孔の反対側に設け、左右一対のサイドバーの基端プレート部をサイドバー収容孔の底壁部のスリットに嵌め入れ、キーを抜取った状態において、板バネの付勢によってサイドバーの先端部を固定ケースの錠止凹部に係合させ、固定ケース対するプラグの回転拘束が左右二箇所において行なわれるサイドバー式シリンダー錠装置が開示されている。
【特許文献１】特開２０００−３１４２５０号公報（請求項１、段落０００８〜０００９、図１）
【発明の開示】
【発明が解決しようとする課題】
【０００３】
特許文献１のシリンダー錠は、施錠時には、回転可能なプラグから左右一対のサイドバーがロックピンに直交する方向に突き出し、このサイドバーが固定ケースの錠止凹部に係合することでプラグの回転を拘束している。開錠するために鍵を差し込み、ロックピンを正規の位置に整列させると、各ロックピンに形成されたサイドバー収容孔にサイドバーが逃げ込むことによりプラグの回転拘束が解かれる。このように、すべてのロックピンが正規の位置になったときに限りサイドバーによる回転拘束が解かれることで、不正開錠が抑制されている。
【０００４】
しかし、特許文献１のシリンダー錠は、不正な操作で各ロックピンを正規の位置に合わせることを困難にする手段を備えていない点で改良の余地がある。
この課題を解決するため、本発明は、不正な操作で各ロックピン等の制止部材を正規の位置に合わせることが困難な施錠機構の提供を目的とする。
【課題を解決するための手段】
【０００５】
本発明は、回転部材と、回転部材を回動可能に収納するハウジングと、少なくとも回転部材に収納される複数の制止部材とを備え、複数の制止部材を、回転部材とハウジングとの境界に位置するシアラインに対してほぼ直交する方向に進退させてシアラインに交差させることにより錠止・開錠する施錠機構を前提とする。
【０００６】
この前提における本発明の特徴は、ハウジングおよび回転部材にまたがり制止部材の進退方向にほぼ直交する収容空間を備え、収容空間には制止部材の一部を構成するロックプレートが収容され、ロックプレートは、少なくとも２つの他の制止部材に当接してシアラインに交差しながら揺動可能であり、開錠するとき、ロックプレートの制止部材の進退方向にほぼ直交する面がシアラインに合致することある。
【０００７】
本発明の１つの実施態様では、ハウジングに、ロックプレートを、ロックプレートに当接する他の制止部材に向けて付勢するバネ付勢手段を備える。
【０００８】
別の実施態様では、バネ付勢手段がコイルバネであり、コイルバネがロックプレートに対向する部分に、ロックプレートに当接する当接部材が設けられている。
【０００９】
また別の実施態様では、制止部材が複数のアンダーピンおよび複数のドライバーピンを含んで成り、アンダーピンとドライバーピンは回転部材の回転軸に直交する方向に配設される。
【００１０】
また別の実施態様では、制止部材が、鍵が挿通される挿通孔を有する複数のディスクを含んで成り、複数のディスクは回転部材の回転軸に直交する方向に配設される。
【００１１】
また別の実施態様では、制止部材が複数のコードピンおよび複数のアンダーピンを含んで成り、コードピンとアンダーピンは回転部材の回転軸に平行な方向に配設される。
【発明の効果】
【００１２】
本発明では、回転部材とハウジングにまたがる収容空間に、ロックプレートが少なくとも２つの制止部材に当接してシアラインに交差しながら揺動可能に収容されており、開錠するとき、ロックプレートの、制止部材の進退方向に対しほぼ直交する面がシアラインに合致するようになっている。
【００１３】
一方、錠止された状態のときは、ロックプレートの制止部材の進退方向にほぼ直交する面はシアラインに合致せず、収容空間の中で少なくとも２つの他の制止部材に当接して揺動し、シアラインに交差することが可能になっている。従って、不正開錠するために制止部材を動かすと、ロックプレートは揺動してシアラインに交差して回転部材の回動を阻止する。
【００１４】
すなわち、不正開錠する目的で、回転部材が回動する方向に力をかけながら制止部材を動かしてシアラインに合致させようとしても、ロックプレートにより回転部材の回動が阻止されるため、制止部材がシアラインに合致したことを感知することが困難になる。これにより、不正な操作で制止部材を正規の位置に合わせることが困難になる。
【００１５】
また、本発明ではロックプレートが厚みを有するため、制止部材の正規の位置からの位置ずれが拡大される。従って、不正な操作でロックプレートをシアラインに合致させようとする場合、制止部材の位置を同時に、かつ厳密に正規の位置に合わせなければならない。これによっても不正な操作で制止部材を正規の位置に合わせることが困難になる。
【００１６】
ハウジングに、ロックプレートを他の制止部材に向け付勢するバネ付勢手段を備える態様では、ロックプレートはバネ付勢手段により制止部材に押し付けられるので、ロックプレートを制止部材の動きに確実に追随させることができる。
【００１７】
バネ付勢手段には、コイルバネを好適に用いることができる。また、コイルバネがロックプレートに対向する部分に、ロックプレートに当接する当接部材を設ければ、当接部材により確実にコイルバネをロックプレートに当接させることができる。
【００１８】
制止部材が複数のアンダーピンおよび複数のドライバーピンを含んで成り、アンダーピンとドライバーピンは回転部材の回転軸に直交する方向に設けられる態様では、本発明の施錠機構をいわゆるピンタンブラー錠に好適に適用できる。
【００１９】
制止部材が、鍵が挿通される挿通孔を有する複数のディスクを含んで成り、複数のディスクは回転部材の回転軸に直交する方向に設けられる態様では、本発明の施錠機構をいわゆるディスクタンブラー錠に好適に適用できる。
【００２０】
制止部材が複数のコードピンおよび複数のアンダーピンを含んで成り、コードピンとアンダーピンは回転部材の回転軸に平行な方向に設けられる態様では、本発明の施錠機構をいわゆる八万ロック錠に好適に適用できる。
【発明を実施するための最良の形態】
【００２１】
＜第１の実施形態＞
添付の図面を参照して、本発明に係る施錠機構について説明する。
本実施形態では、ピンタンブラー錠１０に本発明に係る施錠機構を適用しており、図１はピンタンブラー錠１０に鍵Ｋが挿入され開錠されたときの施錠機構の状態を模式的に表わす断面図である。
【００２２】
ピンタンブラー錠１０は、鍵穴４を有する円柱状の回転部材２と、回転部材２を回動可能に収納するハウジング３とを備え、回転部材２とハウジング３の境界にシアラインＳＬが位置する。また、ピンタンブラー錠１０の制止部材５にはアンダーピン５１、ドライバーピン５２とロックプレート６が含まれている。さらに、回転部材２とハウジング３とにまたがり、ロックプレート６が収容される収容空間７を備える。また、ロックプレート６はバネ付勢手段であるコイルバネ８により、ロックプレート６に当接するアンダーピン５１に向けてバネ付勢されている。別言すれば、ロックプレート６はコイルバネ８により、回転軸に向けてバネ付勢されている。
【００２３】
回転部材２は、その回転軸と平行な方向（以下、回転軸方向Ｘと記す）に延びる鍵穴４と、鍵穴４から回転部材２の回転軸に直交する方向（以下、直径方向Ｙと記す）に延び出して回転部材２を貫通し、アンダーピン５１を摺動可能に収容する複数のアンダーピン孔１１とを備える。ハウジング３には、アンダーピン孔１１に連通可能で、ドライバーピン５２を摺動可能に収容する複数のドライバーピン孔１２が直径方向Ｙに延びている。すなわち、アンダーピン５１とドライバーピン５２の進退方向は直径方向Ｙである。
【００２４】
ロックプレート６は、隣接する２本のアンダーピン５１に当接可能な板状の部材である。ロックプレート６の回転軸方向Ｘにおける長さは、隣接する２本のアンダーピン５１の間の最少距離よりも大きく、より好ましくは、２本のアンダーピン５１の中心軸間の距離よりも大きい。また、ロックプレート６の幅は、アンダーピン５１とほぼ同じか僅かに大きい。
【００２５】
ロックプレート６が収容される収容空間７は、アンダーピン５１とドライバーピン５２の進退方向にほぼ直交して、回転軸方向Ｘと平行な方向に設けられている。また、収容空間７は、回転部材２側にロックプレート６が完全に収容されるように形成されている。すなわち、回転部材２側の収容空間７の直径方向Ｙの寸法（以下、収容空間７の深さと記す）は、ロックプレート６の直径方向Ｙの寸法（以下、ロックプレート６の厚みと記す）よりも大きく形成されている。また、収容空間７の長さと幅はロックプレート６よりもわずかに大きい。これにより、ロックプレート６は回転部材２とハウジング３にまたがる収容空間７の中で、シアラインＳＬに交差しながら揺動することができる。
【００２６】
また、ロックプレート６を付勢するコイルバネ８のロックプレート６に対向する部分には、当接部材９が設けられている。本実施形態では、ドライバーピン５２が当接部材９を兼用しているが、当接部材９をドライバーピン５２とは異なる形状にすることもできる。このようにロックプレート６をアンダーピン５１に向けバネ付勢することにより、ロックプレート６をアンダーピン５１に押し付けてアンダーピン５１の動きに確実に追随させることができる。また、当接部材９を設けることにより、コイルバネ８を確実に当接させることができる。なお、ロックプレート６に当接しないドライバーピン５２（図１向かって左側の２本）も、アンダーピン５１に向けてバネ付勢されている。
【００２７】
図１のように、鍵Ｋが鍵穴４に挿入されているとき、ロックプレート６に当接していないドライバーピン５２とアンダーピン５１との境界がシアラインＳＬに合致している。さらに、ロックプレート６の直径方向Ｙにほぼ直交する面Ａと、当接部材９（ドライバーピン５２）との境界がシアラインＳＬに合致している。すなわち、制止部材５がシアラインＳＬから退出した状態となっている。これにより、回転部材２がハウジング３に対して回動可能となり、ピンタンブラー錠１０は開錠される。ここで、回転部材２の回動を円滑にするために、シアラインＳＬに合致するロックプレート６の面Ａを、回転部材２の外周面と同じ曲率の面にすることが好ましい。
【００２８】
図２は、ピンタンブラー錠１０の錠止状態を模式的に表わす断面図である。
鍵Ｋ(図示せず)を鍵穴４から抜くと、図２のように、ドライバーピン５２、および当接部材９が、シアラインＳＬに向けて進出して交差する。これにより回転部材２のハウジング３に対する回動が阻止される結果、ピンタンブラー錠１０は錠止される。このとき、ロックプレート６はシアラインＳＬから離れており、またアンダーピン５１に当接している。
【００２９】
次に図３を参照して、本発明の施錠機構が不正開錠を困難にする作用効果について説明する。図３は、ロックプレート６とその周囲の拡大図であり、ピンタンブラー錠１０が錠止されているときに、図上向かって左側のアンダーピン５１ａが不正な操作により直径方向Ｙに押された状態を表わす。
【００３０】
左側のアンダーピン５１ａが直径方向Ｙに押されると、アンダーピン５１ａに当接しているロックプレート６は収容空間７の中で揺動してシアラインＳＬに交差し、回転部材２のハウジング３に対する回動を阻止する。
すなわち、回転部材２が回転する方向に力を掛けながらアンダーピン５１ａを押す不正な操作により、アンダーピン５１ａがシアラインＳＬに合致したとしても、回転部材２は微動だにしない。このため、外部からアンダーピン５１ａがシアラインＳＬに合致したことを知る手がかりが得られず、不正な操作でアンダーピン５１ａ、換言すれば制止部材５を正規の位置に合わせることが困難になる。
【００３１】
また、図３に示すように、２本のアンダーピン５１ａ，５１ｂの頂点Ｔａ，Ｔｂの位置ずれＤａは、ロックプレート６が厚みを有することにより、位置ずれＤｂにまで拡大される。従って、２本のアンダーピン５１の位置が僅かでもずれていると、ロックプレート６により回転部材２のハウジング３に対する回動が阻止されるので、ピンタンブラー錠１０を開錠するには、２本のアンダーピン５１ａ，５１ｂの位置を、厳密かつ同時に正規の位置に合わせなければならない。これによっても、不正な操作で制止部材５を正規の位置に合わせることが困難になる。
【００３２】
すなわち、アンダーピン５１を１本ずつシアラインＳＬに合わせる場合に限らず、すべてのアンダーピン５１を不正な操作で同時に移動させて、一瞬だけシアラインＳＬに合致させて開錠しようとしても、アンダーピン５１の位置を厳密に同時に合わせなければならないため、不正な操作で制止部材５を正規の位置に合わせることは困難である。
【００３３】
また一般的には、２本のアンダーピン５１のａ，５１ｂ位置ずれが小さいとき、強引に回転部材２を回してピンタンブラー錠１０をこじ開けられる可能性がある。しかし、本発明ではロックプレート６によっても回転部材２の回動が阻止されているので、不正開錠することは困難である。この場合、回転部材２の回動方向に対し直交するロックプレート６の側面Sを平面にすることが好ましい。これにより、側面Sが収容空間７の側壁に広い範囲で面接触するので、不正開錠するとき、回転部材２に力を掛けてこじ開けることが困難になる。
【００３４】
＜第２の実施形態＞
図４〜図６を参照して、本発明に係る施錠機構をディスクタンブラー錠２０に適用した第２の実施形態について説明する。本実施形態は、制止部材５がディスク５３で構成される点で、第１の実施形態との主な相違点である。以下の説明では、第１の実施形態と重複する説明は一部省略している。
【００３５】
図４はディスクタンブラー錠２０の主要な構成部品を説明するための分解斜視図である。ディスクタンブラー錠２０は、鍵穴４を有する回転部材２と、回転部材２を回動可能に収容するハウジング３と、鍵穴４に一部が露出するようにして回転部材２に収納される複数のディスク５３とを備える。さらに、回転部材２およびハウジング３にまたがり、ロックプレート６が収容される収容空間７を有する。また、ハウジング３には、ロックプレート６を鍵穴４に向け付勢するコイルバネ８と、コイルバネ８がロックプレート６に対向する部分に設けられる当接部材９とが設けられる。
【００３６】
ディスク５３は、鍵Ｋが挿通される挿通孔２１が設けられた縦長の板状部材であり、長辺２２が回転部材２の回転軸方向Ｘに対してほぼ直交する方向に沿って進退可能である。また、ディスク５３の短辺２６は長辺２２に対してほぼ直交する方向に延びている。さらに、ディスク５３は長辺２２に突起２３を有し、回転部材２に設けられたディスク孔２４にバネ２５とともに収納される。ディスク５３は、回転部材２と突起２３に当接するバネ２５により、回転部材２の回転軸方向Ｘに対してほぼ直交する直径方向Ｙに沿って、回転軸から離間する方向に付勢されてディスク孔２４の中を摺動可能である。
【００３７】
収容空間７は、バネ２５で付勢されたディスク５３が錠止時に進入可能に設けられている。また、収容空間７は、回転部材２側の深さがロックプレート６の厚みよりも大きく、ハウジング３側の深さはロックプレート６の厚みより小さく形成されている。（図５、図６参照）収容空間７全体の深さはロックプレート６の厚みより大きく、ロックプレート６は収容空間７の中で揺動可能である。
【００３８】
図５は、ディスクタンブラー錠２０が開錠されたときの施錠機構の状態を模式的に表わす断面図である。但しバネ２５の図示は省略している。鍵穴４に鍵Ｋを挿入すると、ディスク５３がバネ２５に抗して回転軸に向けて移動させられて収容空間７から退出し、回転部材２とハウジング３の境界に位置するシアラインＳＬに対して、ディスク５３の短辺２６、並びにロックプレート６の進退方向に直交する面Ａおよび当接部材９の境界が合致することにより開錠する。
【００３９】
図５の状態から、鍵Ｋを抜き取ると、バネ２５の付勢によりディスク５３と、ロックプレート６がシアラインＳＬに向け進出して交差する結果、ディスクタンブラー錠２０は図６に示すように錠止された状態になる。なお、ロックプレート６に当接するディスク５３の直径方向長さは、錠止された状態のときでもロックプレート６が収容空間７に当接しない長さに設定されており、これにより錠止された状態のときにロックプレート６が収容空間７で揺動可能となっている。
【００４０】
図７は、ロックプレート６の周囲の拡大図であり、ロックプレート６に当接する一つのディスク５３ａが、開錠時における正規の位置に向けて不正に移動させられた時の様子を表わす。
図７に示すように、ディスク５３ａが直径方向Ｙを示す矢印と反対方向、すなわち回転部材２の回転軸に向けて移動させられることにより、ロックプレート６はシアラインＳＬに交差しながら揺動し、回転部材２のハウジング３に対する回動を阻止する。
これにより、第１の実施形態と同様にして、不正な操作で制止部材５を正規の位置に合わせることは困難になる。
【００４１】
以上、本発明に係る施錠機構をディスクタンブラー錠２０に適用した例を説明したが、これを変形して実施することも可能である。
例えば、錠止時にロックプレート６がシアラインＳＬに交差する構成に換えて、ロックプレート６がハウジング３側の収容空間７に完全に収容されディスク５３がシアラインＳＬに交差する構成にすることができる。
あるいは、錠止時にディスク５３が収容空間７に進入する構成に換えて、錠止時にディスク５３が収容空間７から退出する構成にすることもできる。この構成では、例えばディスク５３とロックプレート６の境界がシアラインＳＬに合致して開錠され、ロックプレート６または当接部材９がシアラインＳＬと交差することで錠止される。
【００４２】
＜第３の実施形態＞
図８〜図１０を参照して、本発明に係る施錠機構を八万ロック錠３０に適用した第３の実施形態について説明する。本実施形態は、制止部材５がコードピン５４とアンダーピン５５を含んで構成される点と、制止部材５が鍵Ｋの挿入方向と平行な方向に移動する点が、第１の実施形態との主要な相違点である。以下の説明では、第１の実施形態と重複する説明は一部省略している。
【００４３】
図８は、八万ロック錠３０の主な構成部品を表わす分解斜視図である。八万ロック錠３０は、回転部材２と、鍵穴４を有するシェル３１および固定プラグ３２で構成されて回転部材２を回動可能に収容するハウジング３と、鍵穴４に一部が露出するようにして回転部材２に設けられる複数のコードピン５４およびアンダーピン５５とロックプレート６で構成される制止部材５とを備える。コードピン５４およびアンダーピン５５は、回転部材２の回転軸方向Ｘに平行な方向に進退可能である。
【００４４】
八万ロック錠３０はさらに、ハウジング３の固定プラグ３２および回転部材２にまたがり、ロックプレート６が収容される収容空間７を有する。固定プラグ３２には、アンダーピン５５をコードピン５４に向け付勢するコイルバネ８が設けられ、コイルバネ８がロックプレート６に対向する部分に、ロックプレート６に当接し当接部材９を兼ねるアンダーピン５５が位置している。なお、八万ロック錠３０のシアラインＳＬは、回転部材２と固定プラグ３２の境界に位置する。また、アンダーピン５５は、八万ロック錠３０が錠止状態のとき、収容空間７にその先端部分が露出可能な長さに形成されている。
【００４５】
複数のコードピン５４は、回転部材２の鍵穴４側から回転軸方向Ｘに延び出して回転部材２を貫通し、回転軸を中心とする同一円周上に配置されたコードピン孔３３に摺動可能に収納される。鍵Ｋは、各コードピン５４に対応する位置に、回転部材２の回転軸方向Ｘに設けられたキー溝５６を有し、鍵穴４に鍵Ｋを挿入するとコードピン５４はシアラインＳＬに向けて回転部材２の回転軸方向Ｘに移動する。また、複数のアンダーピン５５は、コードピン孔３３に対向して回転軸方向Ｘに延び出すアンダーピン孔３４に摺動可能に収納され、共に収納されるバネ３５によりコードピン５４に向けて付勢される。
【００４６】
ロックプレート６はコードピン５４が配置される円周に沿った円弧形状であり、隣接する２本のアンダーピン５５およびコードピン５４に当接可能な大きさである。
また、収容空間７は回転部材２の回転軸方向Ｘにほぼ直交し、第１の実施形態と同様に、回転部材２側と固定プラグ３２側のいずれにもロックプレート６が完全に収容されるように形成されている。これにより、ロックプレート６は収容空間７の中でシアラインＳＬに交差しながら揺動することができる。
【００４７】
図９は、八万ロック錠３０に鍵Ｋが挿入され開錠されたときの状態を模式的に表わす透視図であり、ロックプレート６、およびロックプレート６に当接するアンダーピン５５およびコードピン５４を実線で示し、回転部材２を仮想線で示している。なお、これ以外のコードピン５４、アンダーピン５５、鍵Ｋ、シェル３１および固定プラグ３２の図示は省略している。
【００４８】
八万ロック錠３０が開錠されたとき、２本のコードピン５４がロックプレート６に当接している。また、ロックプレート６のアンダーピン５５の進退方向にほぼ直交する面Ａと、アンダーピン５５との境界とがシアラインＳＬに合致する。さらに、図示しないこれ以外のコードピン５４とアンダーピン５５との境界もシアラインＳＬに合致する。これにより、回転部材２はハウジング３に対して回動可能になる。
【００４９】
図９の状態から鍵Ｋを抜くと、コイルバネ８により付勢されたアンダーピン５５がシアラインＳＬに進入して交差することにより錠止され、このとき、ロックプレート６は回転部材２側の収容空間７に完全に収容された状態になる(図示せず)。
【００５０】
図１０は、八万ロック錠３０が錠止されているときに、コードピン５４ａが不正な操作でシアラインＳＬに向けて回転軸方向Ｘに押されたときの様子を模式的に表わす透視図である。図１９に示すように、コードピン５５ａが回転軸方向Ｘに移動させられることにより、ロックプレート６はシアラインＳＬに交差しながら揺動し、回転部材２のハウジング３に対する回動を阻止する。これにより、第１の実施形態と同様にして、不正な操作で制止部材５を正規の位置に合わせることは困難になる。
【００５１】
さらに、ロックプレート６は円弧形状であるため、図１０に示すように収容空間７の中で、アンダーピン５５の進退方向にほぼ直交する面ＡがシアラインＳＬに対して傾斜して揺動することが可能である。これによって２本のアンダーピン５５の位置ずれがさらに拡大され、不正な操作で制止部材５を正規の位置に合わせることは一層困難になる。
【００５２】
以上、実施形態に基づき本発明に係る施錠機構について説明したが、本発明はこれに限定されず種々変更して実施することができる。
例えば、当接部材９を省略して、コイルバネ８を直接ロックプレート６に当接させる構成にすることができる。この場合、シアラインＳＬがロックプレート６とこれに当接する制止部材５との境界に合致するように構成する。あるいは、第１、第２の実施形態でコイルバネ８の本数を減らしたり、コイルバネ８に換えて板バネ等の他の種類のバネを用いたりすることもできる。これらにより、ピンタンブラー錠１０の部品数を削減できる。
【００５３】
さらに、収容空間７およびロックプレート６を２箇所以上設けることができるし、ロックプレート６を３つ以上の制止部材５に当接させることもできる。
また、制止部材５、および当接部材９のロックプレート６との当接面を、ロックプレート６に向けて凸の屈曲面、湾曲面等の曲面にすれば、ロックプレート６が当接面に沿って滑らかに動き、揺動が円滑に行なわれるので好ましい。
【図面の簡単な説明】
【００５４】
【図１】第１実施形態の施錠機構が開錠されたときの断面図。
【図２】第１実施形態の施錠機構の錠止されたときの断面図。
【図３】第１実施形態のロックプレートとその周囲の拡大図。
【図４】第２実施形態の施錠機構の主な構成部品を表わす分解斜視図。
【図５】第２実施形態の施錠機構が開錠されたときの断面図。
【図６】第２実施形態の施錠機構が錠止されたときの断面図。
【図７】第２実施形態のロックプレートとその周囲の拡大図。
【図８】第３実施形態の施錠機構の主な構成部品を表わす分解斜視図。
【図９】第３実施形態の施錠機構が開錠された状態を模式的に表わす透視図。
【図１０】第３実施形態の施錠機構が不正操作されたときの様子を表わす透視図。
【符号の説明】
【００５５】
２      回転部材
３      ハウジング
４      鍵穴
５      制止部材
６      ロックプレート
７      収容空間
８      コイルバネ（バネ付勢手段）
９      当接部材
１１    アンダーピン孔
１２    ドライバーピン孔
２４    ディスク孔
２６    ディスクの辺
３３    コードピン孔
３４    アンダーピン孔
５１    アンダーピン
５２    ドライバーピン
５３    ディスク
５４    コードピン
５５    アンダーピン
５６    キー溝
Ａ      ロックプレートの面
ＳＬ    シアライン
【図１】
2008144522.tif 000003
【図２】
2008144522.tif 000004
【図３】
2008144522.tif 000005
【図４】
2008144522.tif 000006
【図５】
2008144522.tif 000007
【図６】
2008144522.tif 000008
【図７】
2008144522.tif 000009
【図８】
2008144522.tif 000010
【図９】
2008144522.tif 000011
【図１０】
2008144522.tif 000012